(57)【要約】  【目的】  画像ファイルの重複保存を防止する。  【構成】  画像ファイル記録システム１と接続されたディジタル・スチル・カメラ２に記録されている画像ファイルの作成年月日，作成時間，ファイル容量，撮影日時などと画像ファイル記録システム１にすでに記録されている画像ファイルの作成年月日等とがすべて等しいかが確認される。すべて等しい場合には，画像ファイルに格納されている画像データ同士が等しいかどうかがバイナリ・データ単位で比較される。画像データが同じであれば，ディジタル・スチル・カメラ２に格納されている画像ファイルと同一の画像ファイルが画像ファイル記録システム１にすでに記録されているとして，記録は行われない。  【選択図】  図１
2006092268.tif 000002
【特許請求の範囲】
【請求項１】
画像ファイルを記録する画像ファイル記録装置，
与えられる画像ファイルを入力する画像ファイル入力手段，
上記画像ファイル入力手段から入力した画像ファイルが，上記画像ファイル記憶装置に未だ記録されていないかどうかを判定する判定手段，および
上記判定手段により記録されていないと判定されたことに応じて，上記画像ファイル入力手段から入力した画像ファイルを記録するように上記画像ファイル記録装置を制御する記録制御手段，
を備えた画像ファイル記録システム。
【請求項２】
上記判定手段が，画像ファイルの作成日時，画像ファイルの容量，画像ファイルによって表される画像の撮影日時および上記画像ファイル入力手段に入力した画像ファイルに格納されている画像データと上記画像ファイル記録装置に記録されている画像ファイルに格納されている画像データとの一対一の対応関係の一致度の少なくとも一つにもとづいて判定するものである，
請求項１に記載の画像ファイル記録システム。
【請求項３】
上記判定手段が，
画像ファイルの作成日時，画像ファイルの容量および画像ファイルによって表される画像の撮影日時の少なくとも一つにもとづいて，上記画像ファイル入力手段に入力した画像ファイルが上記画像ファイル記録装置に記録されていないかどうかを判定する第１の判定手段，ならびに
上記第１の判定手段により記録されていないと判定されたことに応じて，上記一対一の対応関係の一致度にもとづいて上記画像ファイル入力手段に入力した画像ファイルが上記画像ファイル記録装置に記録されていないかどうかを判定する第２の判定手段，
を備えた請求項１に記載の画像ファイル記録システム。
【請求項４】
第１の画像ファイル記録装置から与えられる画像ファイルを入力する画像ファイル入力手段，
上記第１の画像ファイル記録装置に固有の識別データおよび機種を表す機種データの少なくとも一方を検出する検出手段，ならびに
上記画像ファイル入力手段から入力した画像ファイルを，上記検出手段によって検出されたデータにもとづくグループごとに記録する第２の画像ファイル記録装置，
を備えた画像ファイル記録システム。
【請求項５】
画像ファイル記録システムに着脱自在な記録媒体に記録されている画像ファイルを読み取る読み取り手段，
上記記録媒体に固有の識別データを検出する検出手段，および
上記読み取り手段によって読み取られた画像ファイルを，上記検出手段によって検出された識別データにもとづくグループごとに記録する画像ファイル記録装置，
を備えた画像ファイル記録システム。
【請求項６】
画像ファイルを記録する画像ファイル記録装置を備えた画像ファイル記録システムにおいて，
与えられる画像ファイルを入力し，
入力した画像ファイルが，上記画像ファイル記憶装置に未だ記録されていないかどうかを判定し，
記録されていないと判定されたことに応じて，入力した画像ファイルを記録するように上記画像ファイル記録装置を制御する，
画像ファイル記録システムの制御方法。
【請求項７】
第１の画像ファイル記録装置から与えられる画像ファイルを入力し，
上記第１の画像ファイル記録装置に固有の識別データおよび機種を表す機種データの少なくとも一方を検出し，
入力した画像ファイルを，検出されたデータにもとづくグループごとに記録する，
画像ファイル記録システムの制御方法。
【請求項８】
画像ファイル記録システムに着脱自在な記録媒体に記録されている画像ファイルを読み取り，
上記記録媒体に固有の識別データを検出し，
読み取られた画像ファイルを，検出された識別データにもとづくグループごとに記録する，
画像ファイル記録システムの制御方法。
【発明の詳細な説明】
【技術分野】
【０００１】
この発明は，画像ファイル記録システムおよびその制御方法に関する。
【背景技術】
【０００２】
ディジタル・スチル・カメラやカメラ付き携帯電話の普及に伴い気軽に写真を撮る機会が増えている。気軽に写真を撮ることができるから，撮影によって得られた画像の駒数も膨大なものとなる。得られた画像のファイルは，メモリ・カードなどの記録媒体に記録されることとなり，極めて多くの駒の画像が記録媒体に記録される。
【０００３】
画像を整理するために，記録媒体に記録されている画像ファイルを，記録媒体別に管理するものも考えられている（特許文献１）。
【特許文献１】特開2001−144921号
【０００４】
しかしながら，未だ改善の余地がある。
【発明の開示】
【０００５】
この発明は，画像を整理して記録できるようにすることを目的とする。
【０００６】
第１の発明による画像ファイル記録システムは，画像ファイルを記録する画像ファイル記録装置，与えられる画像ファイルを入力する画像ファイル入力手段，上記画像ファイル入力手段から入力した画像ファイルが，上記画像ファイル記憶装置に未だ記録されていないかどうかを判定する判定手段，および上記判定手段により記録されていないと判定されたことに応じて，上記画像ファイル入力手段から入力した画像ファイルを記録するように上記画像ファイル記録装置を制御する記録制御手段を備えていることを特徴とする。
【０００７】
第１の発明は，上記画像ファイル記録システムに適した制御方法も提供している。すなわち，この方法は，画像ファイルを記録する画像ファイル記録装置を備えた画像ファイル記録システムにおいて，与えられる画像ファイルを入力し，入力した画像ファイルが，上記画像ファイル記憶装置に未だ記録されていないかどうかを判定し，記録されていないと判定されたことに応じて，入力した画像ファイルを記録するように上記画像ファイル記録装置を制御するものである。
【０００８】
第１の発明によると，画像ファイルが入力すると，その入力した画像ファイルが画像ファイル記録装置に記録されていないかどうかが判定される。記録されていないと判定されると，その入力した画像ファイルが画像ファイル記録装置に記録される。画像ファイル記録装置に記録されていない画像ファイルが画像ファイル記録装置に記録されるので，重複して画像ファイルが記録されてしまうことを未然に防止できる。重複して画像ファイルが記録されることを防止できるので，画像ファイルを整理して記録できるようになる。
【０００９】
上記判定手段は，たとえば，画像ファイルの作成日時，画像ファイルの容量，画像ファイルによって表される画像の撮影日時および上記画像ファイル入力手段に入力した画像ファイルに格納されている画像データと上記画像ファイル記録装置に記録されている画像ファイルに格納されている画像データとの一対一の対応関係の一致度の少なくとも一つにもとづいて判定するものである。
【００１０】
また，上記判定手段は，画像ファイルの作成日時，画像ファイルの容量および画像ファイルによって表される画像の撮影日時の少なくとも一つにもとづいて，上記画像ファイル入力手段に入力した画像ファイルが上記画像ファイル記録装置に記録されていないかどうかを判定する第１の判定手段，ならびに上記第１の判定手段により記録されていないと判定されたことに応じて，上記一対一の対応関係の一致度にもとづいて上記画像ファイル入力手段に入力した画像ファイルが上記画像ファイル記録装置に記録されていないかどうかを判定する第２の判定手段を備えるものでもよい。
【００１１】
画像ファイルの作成日時，画像ファイルの容量および画像ファイルによって表される画像の撮影日時の少なくとも一つにもとづいて，上記画像ファイル入力手段に入力した画像ファイルが上記画像ファイル記録装置に記録されていないかどうかをまず判定し，記録されていないと判定されたことに応じて，上記一対一の対応関係の一致度にもとづいて，入力した画像ファイルが上記画像ファイル記録装置に記録されていないかどうかを判定するで，上記一対一の対応関係の一致度にもとづいて，入力した画像ファイルが画像ファイル記録装置に記録されていないかどうかを判定する数が少なくなる。上記一致度の判定処理は比較的時間がかかるが，入力した画像ファイルのすべてについて上記一致度の判定処理を行う必要が無いので，比較的短時間で判定処理を終了させることができる。
【００１２】
第２の発明による画像ファイル記録システムは，第１の画像ファイル記録装置から与えられる画像ファイルを入力する画像ファイル入力手段，上記第１の画像ファイル記録装置に固有の識別データおよび機種を表す機種データの少なくとも一方を検出する検出手段，ならびに上記画像ファイル入力手段から入力した画像ファイルを，上記検出手段によって検出されたデータにもとづくグループごとに記録する第２の画像ファイル記録装置を備えていることを特徴とする。
【００１３】
第２の発明は，上記画像ファイル記録システムに適した制御方法も提供している。すなわち，この方法は，第１の画像ファイル記録装置から与えられる画像ファイルを入力し，上記第１の画像ファイル記録装置に固有の識別データおよび機種を表す機種データの少なくとも一方を検出し，入力した画像ファイルを，検出されたデータにもとづくグループごとに記録するものである。
【００１４】
第２の発明によると，画像ファイルを与える画像ファイル記録装置に固有の識別データおよび機種を表す機種データの少なくとも一方が検出される。入力した画像ファイルが，検出されたデータにもとづくグループごとに記録される。
【００１５】
画像ファイルを与える画像ファイル記録装置（第１の画像ファイル記録装置）ごとに整理して画像ファイルを画像ファイル記録システムに記録することができる。
【００１６】
第３の発明による画像ファイル記録システムは，画像ファイル記録システムに着脱自在な記録媒体に記録されている画像ファイルを読み取る読み取り手段，上記記録媒体に固有の識別データを検出する検出手段，および上記読み取り手段によって読み取られた画像ファイルを，上記検出手段によって検出された識別データにもとづくグループごとに記録する画像ファイル記録装置を備えていることを特徴とする。
【００１７】
第３の発明は，上記画像ファイル記録システムに適した制御方法も提供している。すなわち，画像ファイル記録システムに着脱自在な記録媒体に記録されている画像ファイルを読み取り，上記記録媒体に固有の識別データを検出し，読み取られた画像ファイルを，検出された識別データにもとづくグループごとに記録するものである。
【００１８】
第３の発明によると，記録媒体に固有の識別データが検出される。そして，読み取られた画像ファイルが，検出された識別データにもとづくグループごとに記録される。
【００１９】
記録媒体ごとに画像ファイルを整理して記録することができるようになる。識別データは記録媒体に固有である。このために，同一の種類の記録媒体であっても識別データは異なる。画像ファイルは，記録媒体の種類ごとではなく，特定の記録媒体ごとにグループ化されて記録されるようになる。
【実施例】
【００２０】
図１は，この発明の実施例を示すもので，画像ファイル記録システムの電気的構成を示すブロック図である。
【００２１】
画像ファイル記録システム１には，マザー・ボード20が含まれており，このマザー・ボード20上に載っているＣＰＵ10によって，動作が統括される。
【００２２】
ＣＰＵ10には，データを一時的に記憶するメモリ11がバス接続されている。また，ＣＰＵ10には，マウス21およびキーボード22を接続するためのＰＳ／２ポート，赤外線用シリアル・ポート13，ＵＳＢ（Universal Serial Bus）ポート14，ＲＧＰポート15，ＰＣＩ（Peripheral Component Interconnect）ポート16および17ならびにＩＤＥ（Integrated Drive Electronics）ポート18もバス接続されている。
【００２３】
赤外線用シリアル・ポート13には，携帯電話４から赤外線によって送信される指令等を受信する赤外線受光装置23が接続されている。ＵＳＢポート14には，ディジタル・スチル・カメラ２が接続されている。ＲＧＰポート15には，表示装置３が接続されている。一方のＰＣＩポート16には，サウンド・カード24が接続されており，他方のＰＣＩポート17にはＬＡＮ（Local Area Network）カード25が接続されている。ＬＡＮカード25を用いて，画像保管装置１がインターネットに接続できるようになる。
【００２４】
ＩＤＥポート18には，画像ファイル等が記録されているハードディスク28にアクセスするためのハードディスク・ドライバ26およびDVD-RAM（digital versatile disc-random access memory）にアクセスするためのDVD-RAMドライバ27が接続されている。
【００２５】
図２は，画像ファイル記録システム１のディレクトリ構成の一例である。
【００２６】
この実施例による画像ファイル記録システム１においては，画像ファイル記録システム１には作成年月日をフォルダ名にもつフォルダの中に，その作成年月日に作成された画像ファイルが格納される。例えば，フォルダ名として「20040718」をもつフォルダには「001.jpg」，「002.jpg」などのファイル名をもつ画像ファイルが格納されているが，これらの画像ファイルはいずれも2004年７月18日にファイルが作成された画像ファイルである。その他のフォルダに格納されている画像ファイルも同様である。
【００２７】
図３から図６は，画像ファイル記録システム１の処理手順を示すフローチャートである。
【００２８】
以下の処理においては，画像ファイル記録システム１に与えられる画像ファイルのうち，未だ記録されていない画像ファイルが画像ファイル記録システム１に記録される。また，画像ファイルは，画像ファイル記録システム１に接続されるディジタル・スチル・カメラから与えられるものとするが，他の装置から与えられるものでもよいのはいうまでもない。
【００２９】
画像ファイル記録システム１にディジタル・スチル・カメラが接続されると，これから画像ファイル記録システム１に記録しようとする一の画像ファイルが，ディジタル・スチル・カメラを検索することにより見つけられる（ステップ31）。
【００３０】
図６は，検索により見つけられた画像ファイル（検索画像ファイル）のファイル構造（データ構造）の一例である。
【００３１】
検索画像ファイルには，ヘッダ記録領域と画像データ記録領域とが含まれている。画像データ記録領域には，画像を表す画像データが記録されている。ヘッダ記録領域には，検索画像ファイルの作成年月日，作成時間，ファイル容量，画像データ記録領域に記録されている画像の撮影日時など画像データ記録領域に記録されている画像データの管理情報が記録されている。
【００３２】
図３に戻って，ディジタル・スチル・カメラから見つけられた検索画像ファイル作成年月日を表すデータが読み取られる。読み取られたデータによって表される作成年月日と同じ年月日をフォルダ名にもつフォルダがすでに生成されているかどうかが確認される（ステップ32）。
【００３３】
すでに作成されていれば（ステップ32でＹＥＳ），検索画像ファイルの作成年月日と同一の年月日をフォルダ名にもつフォルダに格納されている画像ファイルが画像ファイル記録システム１から検出される（ステップ33）。検出された画像ファイルのうち，ディジタル・スチル・カメラから画像ファイル記録システム１に記録しようとする検索画像ファイルの作成年月日と同じ作成年月日の画像ファイルがあるかどうかが確認される（ステップ34）。同じ作成年月日の画像ファイルがすでに，画像ファイル記録システム１に格納されていると（ステップ34でＹＥＳ），画像ファイル記録システム１に記録しようとする検索画像ファイルがすでに画像ファイル記録システム１に格納されている可能性があるので，さらに確認が行われる。
【００３４】
つづいて，画像ファイル記録システム１に格納されている画像ファイルのうち同一年月日フォルダに格納されており，かつ作成日も同じ画像ファイルのうち，検索画像ファイルの作成時間と同じ作成時間の画像ファイルがあるかどうかが確認される（ステップ35）。作成時間も同じ画像ファイル（対象候補画像ファイル）が画像ファイル記録システム１に格納されていると（ステップ35でＹＥＳ），検索画像ファイルのファイル容量とその対象候補画像ファイルのファイル容量とが等しいかどうかが確認される（ステップ36）。ファイル容量が等しければ（ステップ36でＹＥＳ），検索画像ファイルと対象候補画像ファイルとが同じものである可能性がさらに高くなる。
【００３５】
さらに，対象候補画像ファイルおよび検索画像ファイルのいずれもがExif（Exchangeable Image File Format）形式のものかが確認される（ステップ37，38）。Exif形式のものであれば（ステップ37および38のいずれもＹＥＳ），撮影日時を用いて対象候補画像ファイルと検索画像ファイルとが同じかどうかを確認できる。このために，対象候補画像ファイルのExif情報と検索画像ファイルのExif情報とが取得される（ステップ39）。Exif情報に含まれている撮影日時の情報を用いて，検索画像ファイルの撮影日時と対象候補画像ファイルの撮影日時とが同じかどうかが確認される（ステップ40）。
【００３６】
撮影日時が同じであれば（ステップ40でＹＥＳ），検索画像ファイルと対象候補画像ファイルとが同一である可能性が極めて高い。これらの検索画像ファイルと対象候補画像ファイルとが全く同一のものであるかどうかを確認するために，検索画像ファイルがディジタル・スチル・カメラから読み取られ，画像ファイル記録システム１に一時的に記録されて，それぞれの画像ファイルに格納されている画像データ同士がバイナリ・データ単位で一致するかどうかが確認される（ステップ41）。画像データ同士がバイナリ・データ単位で一致すると（ステップ42でＹＥＳ），検索画像ファイルと同一の画像ファイル（対象候補画像ファイル）がすでに画像ファイル記録システム１に格納されていることとなる。重複した画像ファイルが画像ファイル記録システム１に格納されてしまうことを未然に防止するために，画像ファイル記録システム１への検索画像ファイルの格納処理が行われずに，次に画像ファイル記録システム１に格納しようとする画像ファイルがディジタル・スチル・カメラ１において検索される（ステップ43）。
【００３７】
最初から画像データ同士をバイナリ・データ単位で一致するかどうかを確認せずに，ファイルの作成年月日，作成時間，ファイル容量撮影日時などが一致したことが確認された後に画像データ同士を確認しているので，画像データ同士を確認する対象となる画像ファイルの数が少なくなる。比較的迅速にかつ正確に，画像ファイル記録システム１に記録しようとする画像ファイルがすでに画像ファイル記録システム１に記録されているかどうかを確認できる。
【００３８】
画像ファイルの作成日が不一致（ステップ34でＮＯ），作成時間が不一致（ステップ35でＮＯ），ファイル容量の不一致（ステップ36でＮＯ），検索画像ファイルがExif形式でない（ステップ38でＮＯ）または撮影日時の不一致（ステップ40でＮＯ）の場合には，検索画像ファイルがディジタル・スチル・カメラから読み取られ，一時的に画像ファイル記録システム１に記憶される（ステップ45）。
【００３９】
一時的に記憶された検索画像ファイルのファイル名が，格納されるべきフォルダ（検索画像ファイルの作成年月日に対応するフォルダ）内において重複しないようなファイル名が生成される（ステップ46）。重複しないようなファイル名で，検索画像ファイルの作成年月日が維持されて（検索画像ファイルの作成年月日が変更されないで），検索画像ファイルが画像ファイル記録システム１に保存される（ステップ47）。
【００４０】
ファイルの作成年月日等が一致しても画像データがバイナリ・データ単位で一致しなければ（ステップ42でＮＯ），検索画像ファイルと対象候補画像ファイルとは不一致であるから，対象候補画像ファイルがファイル名が重複しないようにされて画像ファイル記録システム１に保存される（ステップ46，47）。
【００４１】
検索画像ファイルの作成年月日と同じ年月日をフォルダ名にもつフォルダが画像ファイル記録システム１に生成されていない場合には（ステップ32でＮＯ），その検索画像ファイルの作成年月日をフォルダ名にもつフォルダが作成されて（ステップ44），画像ファイル記録システム１に保存される（ステップ45〜47）。
【００４２】
すでに保存されていない画像ファイルを画像ファイル記録システム１に保存することができるようになる。
【００４３】
図７から図９は，他の実施例を示すものである。
【００４４】
この実施例においては，画像ファイル記録システム１に画像ファイルを与える装置ごとにその画像ファイルをグループ化して格納するものである。また，同一機種の装置であっても異なる装置であれば，異なるグループのものとして画像ファイルが格納される。このために，この実施例においては，機種のフォルダ名とシリアル番号のフォルダ名とが規定されている。画像ファイル記録システム１に接続される機種名（または記録媒体の名称）に対応して機種名フォルダが生成され，その機種名フォルダの中に，その機種のシリアル番号フォルダが生成される画像ファイル記録システム１に接続された装置の装置名およびシリアル番号に対応するフォルダ内に，その装置から与えられる画像ファイルが格納される（グループ化）。
【００４５】
図７は，画像ファイル記録システム１に記憶される装置情報データベースの一例である。
【００４６】
装置情報データベースは，画像ファイル記録システム１に接続された装置に対応する装置名フォルダおよびシリアル番号フォルダがすでに生成されているかどうかを確認するためのものである。
【００４７】
装置情報データベースには，その装置（または記録媒体）を製造した会社に固有のベンダＩＤ，その装置の機種に固有のプロダクトＩＤ（機種データ）およびその装置の固有のシリアル・コード（識別データ）（これらのベンダＩＤ，プロダクトＩＤおよびシリアル・コードを装置情報という）ならびに装置名が識別ナンバごとに格納されている。
【００４８】
装置情報データベースに格納されていないベンダＩＤおよびプロダクトＩＤをもつ装置が画像ファイル記録システムに接続されることにより，装置名と装置情報とが装置情報データベースに格納されることとなる。
【００４９】
図８は，画像ファイル記録システム１のディレクトリの一例である。
【００５０】
上述したように，装置名ごとに装置名フォルダが生成されているこれらの装置名フォルダの下の階層に，それぞれの装置名ごとのシリアル・コードをフォルダ名にもつシリアル・コード・フォルダが生成されている。これらのシリアル・コード・フォルダの下の階層に，それらのシリアル・コードをもつ装置から与えられた画像ファイルが格納されている。このように，画像ファイルを与える装置の装置名およびシリアル・コードごとに画像ファイルがグループ化されて格納されている。
【００５１】
図９は，画像ファイル記録システム１の処理手順を示すフローチャートである。
【００５２】
画像ファイル記録システム１に何らかの装置が接続されたことが検出されると（ステップ51でＹＥＳ），その接続された装置から装置情報が取得される（ステップ52）。すると，画像ファイル記録システム１に格納されている装置情報データベースが検索され（ステップ53），接続された装置から取得された装置情報に含まれているベンダＩＤおよびプロダクトＩＤに一致するものが装置情報データベースに格納されているかどうかが確認される（ステップ54）。
【００５３】
一致するものが無ければ（ステップ54でＮＯ），装置名と装置情報とが装置情報データベースに登録される（ステップ55）。また，画像ファイル記録システム１に接続された装置に対応する装置名フォルダが生成されていないこととなるから，装置名フォルダが生成される（ステップ56）。
【００５４】
さらに，シリアル・コードが一致するものが無ければ（ステップ57でＮＯ），対応する装置名フォルダの下の階層にシリアル・コード・フォルダが生成される（ステップ58）。  
【００５５】
このようにして，装置名フォルダ，シリアル・コード・フォルダなどが生成されると，上述のようにして，画像ファイル記録システム１に格納されている画像ファイルが対応するフォルダに格納されるようになる。装置ごとに画像ファイルをグループ化して格納できるようになる。
【００５６】
上述した実施例においては，シリアル・コード・フォルダが生成されており，同一の機種であっても異なるシリアル・コード・フォルダに格納されているが，シリアル・コード・フォルダを生成することなく，装置名フォルダごとに画像ファイルをグループ化してもよい。
【００５７】
上述した実施例においては，画面ファイル記録システム１に接続される装置の装置情報を用いてシリアル・コード・フォルダ，装置名フォルダを生成し，対応するフォルダに，装置に記憶されている画像ファイルを格納しているが，メモリ・カードなど記録媒体の情報を用いてシリアル・コード・フォルダ，装置名フォルダを生成して対応するフォルダに，記録媒体に記録されている画像ファイルを格納するようにしてもよい。
【図面の簡単な説明】
【００５８】
【図１】画像ファイル記録システムの電気的構成を示すブロック図である。
【図２】ディレクトリ構成の一例である。
【図３】画像ファイル記録システムの処理手順を示すフローチャートである。
【図４】画像ファイル記録システムの処理手順を示すフローチャートである。
【図５】画像ファイル記録システムの処理手順を示すフローチャートである。
【図６】検索画像ファイルのファイル構造の一例である。
【図７】装置情報データベースの一例である。
【図８】ディレクトリの構成の一例である。
【図９】画像ファイル記録システムの処理手順を示すフローチャートである。
【符号の説明】
【００５９】
１  画像ファイル記録システム
２  ディジタル・スチル・カメラ
10  ＣＰＵ
14  ＵＳＢポート
26  ハードディスク・ドライバ
28  ハードディスク
【図１】
2006092268.tif 000003
【図２】
2006092268.tif 000004
【図３】
2006092268.tif 000005
【図４】
2006092268.tif 000006
【図５】
2006092268.tif 000007
【図６】
2006092268.tif 000008
【図７】
2006092268.tif 000009
【図８】
2006092268.tif 000010
【図９】
2006092268.tif 000011